(57)【特許請求の範囲】
【請求項１】
一方の面に接触端子を有し前記接触端子の裏側にアンテナを有し、ＩＣカードから取り外して読み取りと書込みが行なわれるＳＩＭカードを保持して通信処理を行なうリーダライタであって、
前記リーダライタは、前記ＳＩＭカードの媒体保持手段と、接触通信手段及び非接触通信手段とを有し、
前記リーダライタの媒体保持手段に前記ＳＩＭカードが保持されて通信される状態で、前記リーダライタには、前記ＳＩＭカードの接触端子と接触状態となる位置に接触端子が配置され、前記ＳＩＭカードのアンテナと接近して対向し電磁誘導結合状態となる位置にアンテナが配置され、前記リーダライタに配置された前記接触端子と前記アンテナの各々は対面した状態でＳＩＭカードと通信を行なうことを特徴とするリーダライタ。
【請求項２】
請求項１に記載のリーダライタにおいて、
リーダライタは、さらに、所定の情報を手操作で入力するための入力手段を有することを特徴とするリーダライタ。
【請求項３】
請求項１または２に記載のリーダライタにおいて、
リーダライタは、さらに、所定の情報を表示する表示手段を有することを特徴とするリーダライタ。
【請求項４】
請求項１〜３のいずれかに記載のリーダライタにおいて、
リーダライタは、ＳＩＭカード以外の外部機器、通信回線、等と、赤外線、電波、等にて通信する非接触遠隔通信手段を有することを特徴とするリーダライタ。
【発明の詳細な説明】
【０００１】
【発明の属する技術分野】
本発明は電子情報記録媒体に用いるリーダライタの技術分野に属する。特に、接触端子を介する接触方式のデータ通信と、アンテナを介する非接触方式のデータ通信との同時使用を可能とするリーダライタに関する。
【０００２】
【従来技術】
ＩＣを具備する電子情報記録媒体、たとえばＩＣカードには、データ通信を接触端子を介して行なう接触型ＩＣカードと、アンテナを介して行なう非接触型ＩＣカードとが存在する。接触型ＩＣカードは、安定した電力の供給を受けることができるため、消費電力の高い複雑な暗号処理等を短時間に完了させることが可能である。一方、非接触型ＩＣカードは、接触端子を必要としないため、耐振動性、防塵性、利用者の利便性に優れている。したがって、決済用途には接触型ＩＣカードが使用され、交通システム等のゲート・アクセス管理には非接触型ＩＣカードが使用される場合が多い。
【０００３】
また、近年は、接触型ＩＣカードと非接触型ＩＣカードの、両方の機能を併せ持つ接触／非接触共用ＩＣカードが開発されている。接触／非接触共用ＩＣカードは、接触型ＩＣカード専用のリーダライタと非接型ＩＣカード専用のリーダライタ機とが混在するシステムにおいて使用される。すなわち、いずれの専用リーダライタにおいても使用できる共用のＩＣカードとして使用される。
【０００４】
【発明が解決しようとする課題】
このように、従来のリーダライタは専用のリーダライタであり、接触型ＩＣカード専用のリーダライタと、非接型ＩＣカード専用のリーダライタとは全く別個のリーダライタである。したがって、接触端子を介して行なう接触型通信と、アンテナを介して行なう非接触型通信とを１台のリーダライタにおいて使い分ける、というようなことはできない。
【０００５】
本発明はこのような課題を解決するためになされたものであり、その目的は、接触端子を介して行なう接触型通信と、アンテナを介して行なう非接触型通信とを１台のリーダライタにおいて使い分け実質的に同時使用することができるリーダライタを提供することにある。
【０００６】
【課題を解決するための手段】
上記課題は下記の本発明によって解決される。すなわち、本発明の請求項１に係るリーダライタは、一方の面に接触端子を有し前記接触端子の裏側にアンテナを有し、ＩＣカードから取り外して読み取りと書込みが行なわれるＳＩＭカードを保持して通信処理を行なうリーダライタであって、前記リーダライタは、前記ＳＩＭカードの媒体保持手段と、接触通信手段及び非接触通信手段とを有し、前記リーダライタの媒体保持手段に前記ＳＩＭカードが保持されて通信される状態で、前記リーダライタには、前記ＳＩＭカードの接触端子と接触状態となる位置に接触端子が配置され、前記ＳＩＭカードのアンテナと接近して対向し電磁誘導結合状態となる位置にアンテナが配置され、前記リーダライタに配置された前記接触端子と前記アンテナの各々は対面した状態でＳＩＭカードと通信を行なうようにしたものである。本発明によれば、ＩＣモジュールが取り外し可能な構造のＩＣカードにおいて、取り外したＩＣモジュールに対して、接触端子を介して行なう接触型通信と、アンテナを介して行なう非接触型通信とを使い分け実質的に同時使用することができるリーダライタが提供される。また、媒体保持手段により情報の読み取りと書き込みを行なう位置においてＳＩＭカードが保持され、接触通信手段によりそのＳＩＭカードに対する通信処理が接触端子を介して実行され、非接触通信手段によりそのＳＩＭカードに対する通信処理がアンテナを介して実行される。したがって、接触端子を介して行なう接触型通信と、アンテナを介して行なう非接触型通信とを使い分け実質的に同時使用することができるリーダライタが提供される。またＳＩＭカードを保持することだけで、接触端子を介して行なう接触型通信と、アンテナを介して行なう非接触型通信とを使い分け実質的に同時使用することができ、他の特別な接続動作を必要としない。また、リーダライタの接触端子と前記リーダライタのアンテナを配置する空間としてより大きな空間を得ることができ、設計等における自由度が大きい。また、リーダライタの接触端子と前記リーダライタのアンテナを配置する空間を小さくし、リーダライタを小型化することができる。
【００１２】
また本発明の請求項２に係るリーダライタは、請求項１に係るリーダライタにおいて、リーダライタは、さらに、所定の情報を手操作で入力するための入力手段を有するようにしたものである。本発明によれば、所定の情報を手操作で入力することができる。
【００１３】
また本発明の請求項３に係るリーダライタは、請求項１または２に係るリーダライタにおいて、リーダライタは、さらに、所定の情報を表示する表示手段を有するようにしたものである。本発明によれば、所定の情報を表示することができる。
【００１４】
また本発明の請求項４に係るリーダライタは、請求項１〜３のいずれかに係るリーダライタにおいて、リーダライタは、ＳＩＭカード以外の外部機器、通信回線、等と、赤外線、電波、等にて通信する非接触遠隔通信手段を有するようにしたものである。本発明によれば、ＳＩＭカード以外の外部機器、通信回線、等と、赤外線、電波、等にて通信することができる。
【００１５】
【発明の実施の形態】
次に、本発明について実施の形態を説明する。本発明のリーダライタは、ＩＣカード等の電子情報記録媒体との間で、アンテナを介した非接触通信と、接触端子を介した接触通信との両方を行なうことができるリーダライタである。最初に、本発明のリーダライタの通信系統におけるアンテナ、接触端子、等の構成について説明する。本発明のリーダライタの通信系統におけるデータ処理については詳細を後述する（図５、図８とその説明を参照）。
【００１６】
本発明のリーダライタの通信系統におけるアンテナ、接触端子、等の構成の一例（その１）を図１、図２に示す。図１は上面図、図２は側面図である。図１、図２において、１００はリーダライタ、１２０はリーダライタのアンテナ、１２１は非接触通信部、１３０はリーダライタの接触端子、１３１は接触通信部である。また、２００は電子情報記録媒体、２２０は電子情報記録媒体のアンテナ、２３０は電子情報記録媒体の接触端子である。
【００１７】
リーダライタ１００は、すくなくとも、媒体保持部と、非接触通信部１２１と、接触通信部１３１を具備する。媒体保持部は、図１、図２には明示されていないが、情報の読み取りと書き込みを行なう位置において電子情報記録媒体２００を保持する。この媒体保持部の形態は、この媒体保持部が保持する電子情報記録媒体の形態によって決められるものである。
【００１８】
この媒体保持部が保持する電子情報記録媒体２００の形態の一例を図６、図７に示す。図６に示す電子情報記録媒体２００は、ＩＣカードであり、ＩＣチップを有する特定の領域であるＩＣモジュールを取り外し可能となっている。電子情報記録媒体は広い概念（上位概念）である。ＩＣカードの全体は電子情報記録媒体であり、この一例ではＩＣモジュールの部分も電子情報記録媒体である。
【００１９】
また、図７に示す電子情報記録媒体２００は、ＩＣモジュールである。図７（Ａ）はＩＣモジュールの表側を示す図であり、図７（Ｂ）はＩＣモジュールの中身を示す図である。図７に示すＩＣモジュールは、ＩＣカードに対して取り外し可能となっている必要性はないが、図６に示すＩＣモジュールと実質的に同一のものである。ＩＣモジュールの具体的な一例はＳＩＭカードである。図７に示すように、ＩＣモジュールは、すくなくとも、ＩＣチップと、接触端子と、アンテナとから構成される。
【００２０】
媒体保持部は、情報の読み取りと書き込みを行なう位置において図６または図７に示すような電子情報記録媒体２００を保持する。すなわち、リーダライタのアンテナ１２０と電子情報記録媒体２００のアンテナ２２０とが結合状態となる位置、または、リーダライタ１００の接触端子１３０と電子情報記録媒体２００の接触端子２３０とが接触状態となる位置において電子情報記録媒体２００を保持する。
【００２１】
本発明においては、結合状態となる位置と接触状態となる位置とは、必ずしも同じでなくてもよい。リーダライタ１００のアンテナ１２０と電子情報記録媒体２００のアンテナ２２０とを結合状態とするための位置から、リーダライタ１００の接触端子１３０と電子情報記録媒体２００の接触端子２３０とが接触状態となる位置に、またはその逆の位置に電子情報記録媒体２００を移動する手段、またはリーダライタ１００の接触端子１３０を移動する手段、等を設けるように構成してもよい。
【００２２】
図１、図２に示す構成の一例においては、結合状態となる位置と接触状態となる位置とが同じである。すなわち、同時に、結合状態と接触状態とをリーダライタ１００において実現することができる。この構成では、移動する手段を設ける必要がない点において好適である。
【００２３】
また、図１、図２に示す構成の一例においては、リーダライタのアンテナ１２０とリーダライタの接触端子１３０とは、電子情報記録媒体２００を挟んで、その表面側と裏面側に分けて配置されている。しかし、本発明においては必ずしもその配置でなくてもよい。すなわち、電子情報記録媒体２００の表面側または裏面側に、リーダライタのアンテナ１２０とリーダライタの接触端子１３０の両方を配置してもよい。リーダライタのアンテナ１２０とリーダライタの接触端子１３０を、電子情報記録媒体２００を挟んで、その表面側と裏面側に分けて配置した場合には、配置する空間としてより大きな空間を得ることができ、設計等における自由度が大きく、好適である。
【００２４】
本発明のリーダライタの通信系統におけるアンテナ、接触端子、等の構成の一例（その２）を図３、図４に示す。図３は上面図、図４は側面図である。本発明の説明で参照する図（後述する図を含む）において、全く同一でなくても相当している部分には、同一の符号を付してある。図３、図４において、１００はリーダライタ、１２０はリーダライタのアンテナ、１２１は非接触通信部、１３０はリーダライタの接触端子、１３１は接触通信部である。また、２００は電子情報記録媒体、２２０は電子情報記録媒体のアンテナ、２３０は電子情報記録媒体の接触端子である。
【００２５】
この図３、図４に示す構成の一例（その２）と前述の図１、図２に示す構成の一例（その１）との相違点は、リーダライタ１００のアンテナ１２０とリーダライタ１００の接触端子１３０と配置にある。構成の一例（その１）の図２に示すように、リーダライタ１００のアンテナ１２０の中心に垂直な軸（一点鎖線ａ−ａ’で示す）と、リーダライタ１００の接触端子１３０の中心に垂直な軸（一点鎖線ｂ−ｂ’で示す）とは、分離しており別個の軸である。
【００２６】
これに対して、構成の一例（その２）においては、図４に示すように、リーダライタ１００のアンテナ１２０の中心に垂直な軸と、リーダライタ１００の接触端子１３０の中心に垂直な軸とは、ほぼ一致しており、ほぼ共通の軸（一点鎖線ｃ−ｃ’で示す）である。本発明のリーダライタにおけるアンテナと接触端子の配置はこれに限定されないが、このように対面して配置することで配置する空間を小さくすることができる。このことは、リーダライタを小型化することができる等の利点となる。
【００２７】
次に、本発明のリーダライタの通信系統におけるデータ処理について説明する。本発明のリーダライタの主としてデータ処理系統における構成の一例を図５に示す。図５において、１１１は処理部、１１２はインタフェース部、１１３は記憶部、１１４はクロック供給部、１１５は電力供給部、１２０はリーダライタのアンテナ、１２１は非接触通信部、１３０はリーダライタの接触端子、１３１は接触通信部、１４１は通信制御部、１５０は押ボタン、１６０は表示手段、１７０は非接触遠隔通信部である。また、２００は電子情報記録媒体である。
【００２８】
処理部１１１は、データ処理を行なう主要な部分であり、ＣＰＵ（central processor unit）に相当する。インターフェース部１１２は、データ処理部１１１と外付の機器とのデータ入出力において整合性をとる部分である。記憶部１１３は、処理中のデータやプログラムを保存する部分であり、ＲＯＭ（read only memory）、ＲＡＭ（random access memory）、等に相当する。データ処理は、そのハードウェアとソフトウェアによって実行される。
【００２９】
クロック供給部１１４は、処理部１１１、等のデータ処理系の各部分が同期して動作するように、それらの部分にクロック信号、たとえば４．９ＭＨｚを供給する。また、アンテナ１２０から電磁波を出力するときの搬送波、たとえば１３．５６ＭＨｚを供給する。
【００３０】
電力供給部１１５は、データ処理系に電力を供給する。また、接触端子１３０における電源供給端子（ＶＣＣ）を通じて電子情報記録媒体２００に電力を供給する。また、非接触通信部１２１からアンテナを介して非接触で電子情報記録媒体２００に電力を供給する。本発明においては、アンテナと接触端子のいずれか一方によって、またはアンテナと接触端子との両方によって同時に電力を供給する構成とすることができる。通常は、電力供給が途絶えた場合には、通信における接続処理を最初からやり直す必要がある。しかし、後者の場合にはそれをほとんど回避することができる。したがって、電力供給において高い信頼性を得ることができ、電力供給に起因する通信障害を無くすことができる。
【００３１】
非接触通信部１２１は、アンテナ１２０を介して非接触で電子情報記録媒体２００に前述の電力供給を行なうとともに、電子情報記録媒体２００と通信を行なう部分である。送信過程において、非接触通信部１２１は、処理部１１１が出力するデータに基づいて出力信号を生成する。そして、クロック供給部１１４から供給される搬送波を、その出力信号で変調した変調信号をアンテナ１２０に供給する。アンテナ１２０はその変調信号を電磁波として送信する。また、その逆の受信過程において、アンテナ１２０は、電子情報記録媒体２００によるそのアンテナからの変調信号を受信する。非接触通信部１２１は、その変調信号を復調し、その復調で得た受信信号に基づいてデータを生成する。そのデータは処理部１１１によって入力される。
【００３２】
同様に、接触通信部１３１は、接触端子１３０を介して接点を形成し電子情報記録媒体２００に前述の電力供給を行なうとともに、電子情報記録媒体２００と通信を行なう部分である。送信過程において、接触通信部１３１は、処理部１１１が出力するデータに基づいて出力信号を生成する。そして、その出力信号を接触端子１３０に供給する。また、その逆の受信過程において、接触端子１３０は、電子情報記録媒体２００がその接触端子介して送信する信号を受信する。接触通信部１３１は、その受信信号に基づいてデータを生成する。そのデータは処理部１１１によって入力される。
【００３３】
通信制御部１４１は、電子情報記録媒体２００と通信を、非接触通信部１２１と接触通信部１３１のいずれによって行なうかを制御する部分である。通信制御部１４１は、複数のステップから成る一連の通信処理において、その通信処理の各々のステップの属性情報に基づいてその通信処理を非接触通信手段１２１と接触通信手段１３１のいずれかに割り当てる。電子情報記録媒体２００がアンテナだけを有する電子情報記録媒体であれば、その通信処理の各々のステップの属性情報は、非接触通信に統一される。したがって、通信制御部１４１は、非接触通信部１２１によってその通信を行なうよう制御する。また、電子情報記録媒体２００が接触端子だけを有する電子情報記録媒体であれば、その通信処理の各々のステップの属性情報は、接触通信に統一される。したがって、通信制御部１４１は、接触通信部１３１によってその通信を行なうよう制御する。
【００３４】
また、電子情報記録媒体２００がアンテナと接触端子との両方を有する電子情報記録媒体であれば、通信制御部１４１は、非接触通信部１２１と接触通信部１３１のいずれか一方だけによって、複数のステップから成る一連の通信処理を行なうよう制御する。または、複数のステップから成る一連の通信処理において、その通信処理の各々のステップの属性情報に基づいて、非接触通信部１２１と接触通信部１３１のいずれか一方がその各々のステップの通信処理を行なうよう制御する。
【００３５】
たとえば、その通信処理が暗号処理に係わるときには、その一連の処理を接触通信部１３１によって行なう。暗号処理は消費電力の高い複雑な処理であるが、その処理を短時間に完了させることができ好適である。また、アンテナを介して行なわれる非接触通信手段によるデータ通信に比較して、高いセキュリティ性を得ることができ好適である。
【００３６】
押ボタン１５０は、所定の情報を手操作で入力する部分である。また、表示部１６０は、所定の情報を表示する部分である。また、非接触遠隔通信部１７０は、電子情報記録媒体２００以外の外部機器、通信回線、等と、赤外線、電波、等にて通信する部分である。
【００３７】
たとえば、オペレータは、表示部１６０をモニターしながら押ボタン１５０を操作し、非接触遠隔通信部１７０から公衆通信回線（携帯電話回線、等）を介して所望のサーバに接続する。オペレータは、表示部１６０をモニターしながら押ボタン１５０を操作し、そのサーバから公衆通信回線（携帯電話回線、等）を介して非接触遠隔通信部１７０に所望のデータファイルを受信する。オペレータは、表示部１６０をモニターしながら押ボタン１５０を操作し、そのデータファイルを電子情報記録媒体２００に保存する。
【００３８】
またたとえば、オペレータは、表示部１６０をモニターしながら押ボタン１５０を操作し、非接触遠隔通信部１７０から公衆通信回線（携帯電話回線、等）を介して所望のサーバに接続する。オペレータは、表示部１６０をモニターしながら押ボタン１５０を操作し、電子情報記録媒体２００に保存されている所望のデータファイルを選択する。オペレータは、表示部１６０をモニターしながら押ボタン１５０を操作し、そのデータファイルを公衆通信回線（携帯電話回線、等）を介して所望のサーバに送信する。
【００３９】
以上の構成において、次に、本発明のリーダライタの動作について図８を参照しながら説明する。図８は本発明のリーダライタにおける通信処理の過程をフロー図として示す図である。リーダライタ１００は、その媒体保持部において電子情報記録媒体２００を保持する。これにより、リーダライタ１００と電子情報記録媒体とは、接触端子は物理的に接点を形成し、アンテナは空間的に対向する配置となる。リーダライタ１００は、最初に、その電子情報記録媒体２００を活性化する処理を行なう。本発明のリーダライタ２００においては、２つの活性化処理が行なわれる。
【００４０】
まず、図８のステップＳ１において、リーダライタ１００は、電子情報記録媒体２００との接触通信を活性化する。活性化の一連の動作を説明すると、まず、接触端子１３０における電力供給端子（ＶＣＣ）から電力を約５Ｖの電圧で供給する。そして、接触端子１３０におけるリセット信号端子（ＲＳＴ）にリセット信号を供給する。リセット信号はＬｏｗレベル（約０Ｖ）からＨｉｇｈレベル（約５Ｖ）に立ち上がる信号である。さらに、接触端子１３０におけるクロック信信号端子から４．９ＭＨｚのクロック信号を供給する。このように、電子情報記録媒体２００が具備する接触端子に、電力、リセット信号、クロック信号が供給されることにより、接触通信が活性化され、接触通信を行なえる状態となる。
【００４１】
次に、ステップＳ２において、リーダライタ１００は、電子情報記録媒体２００との非接触通信を活性化する。リーダライタ１００は、そのアンテナ１２０から１３．５６ＭＨｚの電磁波を出力する。リーダライタ１００と電子情報記録媒体２００のアンテナは、接近して対向しており電磁誘導結合している。したがって、電子情報記録媒体２００にはそのアンテナからその電磁波が入力される。電子情報記録媒体２００は、その電磁波を整流することにより電磁波から電力を生成する。この電圧が５Ｖ以上である場合には、電子情報記録媒体２００は、非接触通信が活性化され、非接触通信を行なえる状態となる。
【００４２】
次に、ステップＳ３において、リーダライタ１００の通信制御処理部１４１は、複数の通信ステップから成る一連の通信処理における最初の通信ステップの属性情報を入力する。
次に、ステップＳ４において、通信制御処理部１４１は、その属性情報において、通信制御を接触通信とする属性が示されているか、通信制御を非接触通信とする属性が示されているかを判定する。属性情報が接触通信であれば、ステップＳ５に進む。属性情報が非接触通信であれば、ステップＳ８に進む
【００４３】
属性情報が接触通信であれば、ステップＳ５において、リーダライタ１００は接触通信の状態となり、接触通信部１３１は、その通信ステップにおける通信処理を実行する。リーダライタ１００が接触通信の状態のときには、電子情報記録媒体も接触通信の状態となる。すなわち、その通信ステップにおける通信処理は送信受信ともに接触通信で行なわれる。その通信ステップにおける通信処理が終了すると、次に、ステップＳ６において、リーダライタ１００は通信処理における次の通信ステップを実行する状態に移行する。
【００４４】
一方、属性情報が非接触通信であれば、ステップＳ８において、リーダライタ１００は非接触通信の状態となり、非接触通信部１２１は、その通信ステップにおける通信処理を実行する。リーダライタ１００が非接触通信の状態のときには、電子情報記録媒体も非接触通信の状態となる。すなわち、その通信ステップにおける通信処理は送信受信ともに非接触通信で行なわれる。その通信ステップにおける通信処理が終了すると、次に、ステップＳ６において、リーダライタ１００は通信処理における次の通信ステップを実行する状態に移行する。
【００４５】
次に、ステップＳ７において、次の通信ステップが、一連の通信処理の終了を意味するか否かが判定される。一連の通信処理の終了であれば、その通信処理を終了とする。一連の通信処理の終了でなければ、ステップＳ３に戻って、上述した以降の処理を繰り返す。
【００４６】
次に、上述の通信ステップにおける属性情報について説明する。属性情報は、通信処理プログラムにおける通信制御コマンドとして実施することができる。本発明のリーダライタ１００における通信制御コマンドには、接触通信コマンドと非接触通信コマンドが存在する。接触通信コマンドは、リーダライタ１００を接触通信状態とするコマンドである。このコマンドが実行されると、非接触通信コマンドが実行されない限り、以降の通信処理におけるステップはすべて接触通信で行なわれる。また、非接触通信コマンドは、リーダライタ１００を非接触通信状態とするコマンドである。このコマンドが実行されると、接触通信コマンドが実行されない限り、以降の通信処理におけるステップはすべて非接触通信で行なわれる。
【００４７】
通信処理プログラムにおけるコマンドは通信制御コマンドだけでなく、その他のコマンドも存在する。たとえば、メモリに記憶されているデータを読み込むコマンド、データを暗号化するコマンド、暗号化されたデータを複合化するコマンド、メモリにデータを書き込むコマンド、等である。これらのコマンドのシーケンスとして一連の通信処理が行なわれる。上述における通信ステップは、これらのコマンドの１つ１つの実行、または、１まとまりのコマンドの実行に対応する。属性情報は、それらの通信ステップにおける状態が、接触通信状態であるか、非接触通信状態であるかに相当する。
【００４８】
【発明の効果】
以上のとおりであるから、本発明の請求項１に係るリーダライタによれば、一方の面に接触端子を有し前記接触端子の裏側にアンテナを有し、ＩＣカードから取り外して読み取りと書込みが行なわれるＳＩＭカードを保持して通信処理を行なうリーダライタであって、接触端子を介して行なう接触型通信と、アンテナを介して行なう非接触型通信とを使い分け実質的に同時使用することができるリーダライタが提供される。また、ＳＩＭカードを保持することだけで、接触端子を介して行なう接触型通信と、アンテナを介して行なう非接触型通信とを使い分け実質的に同時使用することができ、他の特別な接続動作を必要としない。また、リーダライタの接触端子とリーダライタのアンテナを配置する空間としてより大きな空間を得ることができ、設計等における自由度が大きい。また、リーダライタの接触端子とリーダライタのアンテナを配置する空間を小さくし、リーダライタを小型化することができる。また、ＳＩＭカードが取り外し可能な構造のＩＣカードにおいて、取り外したＳＩＭカードに対して、接触端子を介して行なう接触型通信と、アンテナを介して行なう非接触型通信とを使い分け実質的に同時使用することができるリーダライタが提供される。また本発明の請求項２に係るリーダライタによれば、所定の情報を手操作で入力することができる。また本発明の請求項３に係るリーダライタによれば、所定の情報を表示することができる。また本発明の請求項４に係るリーダライタによれば、ＳＩＭカード以外の外部機器、通信回線、等と、赤外線、電波、等にて通信することができる。
【図面の簡単な説明】
【図１】本発明のリーダライタの通信系統におけるアンテナ、接触端子、等の構成の一例（その１）を示す図（上面図）である。
【図２】本発明のリーダライタの通信系統におけるアンテナ、接触端子、等の構成の一例（その１）を示す図（側面図）である。
【図３】本発明のリーダライタの通信系統におけるアンテナ、接触端子、等の構成の一例（その２）を示す図（上面図）である。
【図４】本発明のリーダライタの通信系統におけるアンテナ、接触端子、等の構成の一例（その２）を示す図（側面図）である。
【図５】本発明のリーダライタの主としてデータ処理系統における構成の一例を示す図である。
【図６】電子情報記録媒体の形態の一例を示す図（ＩＣカード）である。
【図７】電子情報記録媒体の形態の一例を示す図（ＩＣモジュール）である。
【図８】本発明のリーダライタにおける通信処理の過程をフロー図として示す図である。
【符号の説明】
１００  リーダライタ
１１１  処理部
１１２  インタフェース部
１１３  記憶部
１１４  クロック供給部
１１５  電力供給部
１２０  リーダライタのアンテナ
１２１  非接触通信部
１３０  リーダライタの接触端子
１３１  接触通信部
１４１  通信制御部
１５０  押ボタン
１６０  表示手段
１７０  非接触遠隔通信部
２００  電子情報記録媒体
２２０  電子情報記録媒体のアンテナ
２３０  電子情報記録媒体の接触端子
【図１】
0004736197.tif 000002
【図２】
0004736197.tif 000003
【図３】
0004736197.tif 000004
【図４】
0004736197.tif 000005
【図５】
0004736197.tif 000006
【図６】
0004736197.tif 000007
【図７】
0004736197.tif 000008
【図８】
0004736197.tif 000009